(57)【要約】【課題】湯たんぽを身体の所要箇所に安定良く装着出来ると共に使い心地が良く、しかも低温ヤケドを起こすおそれのない湯たんぽカバーを提供する。【解決手段】上側カバー部材３と下側カバー部材４とからなる袋状のカバー１であって、各カバー部材３，４は表地３ａ，４ａと裏地３ｂ，４ｂとによって形成されると共に、身体の所要部に当て付けられる側の上側カバー部材３は表地３ａと裏地３ｂとの間にクッション材５を挟んでサンドイッチ状に形成されてなり、上側カバー部材３と下側カバー部材４とは周縁部の一部分３1 ，４1 どうしが一体的に接合され、残りの周縁部分３2 ，４2 どうしがスライドファスナー７によって開閉可能に接合されている。【選択図】図３
2005160707.tif 000002
【特許請求の範囲】
【請求項１】
湯たんぽの上面側を被う上側カバー部材と下面側を被う下側カバー部材とからなる袋状のカバーであって、上下各カバー部材は表地と裏地とによって形成されると共に、使用者の身体の所要部に当て付けられる側の上側カバー部材は表地と裏地との間にクッション材を挟んでサンドイッチ状に形成されてなり、上側カバー部材と下側カバー部材とは、周縁部の一部分どうしが一体的に接合され、残りの周縁部分どうしがスライドファスナーによって開閉可能に接合されてなる湯たんぽカバー。
【請求項２】
下側カバー部材には腰巻きベルトが取り付けられている請求項１に記載の湯たんぽ。
【請求項３】
下側カバー部材は、表地と裏地との間に断熱材を挟んでサンドイッチ状に形成されている請求項１又は２に記載の湯たんぽ。
【発明の詳細な説明】
【技術分野】
【０００１】
本発明は、湯たんぽカバーに関するものである。
【背景技術】
【０００２】
従来より、湯たんぽは、通常布団の中にいれて足元を温めるのに使用されている。従来の湯たんぽカバーとして、特許公報等の具体的な文献を挙げることは出来ないが、布材で袋を形成して、その口部に紐を通し、袋に湯たんぽを入れた状態で紐を引っ張って口部を縛るようにしたものが、従来より使用されている。
【発明の開示】
【発明が解決しようとする課題】
【０００３】
従来、湯たんぽはほとんど足元を温めることだけに使用されていたが、本願発明の発明者は、湯たんぽの暖かさをそのまま活用し、肩や腰、足首等を温めることによって、血行を促進して、肩凝り、腰痛等を和らげるのに有効であることを確認した。
【０００４】
然るに、熱湯を入れた湯たんぽを従来の湯たんぽカバーに入れて、肩や腰等を温めようとすれば、カバーの生地が薄いために、湯たんぽ本体が肩や腰等の骨に直接当たるような状態となって違和感を感じ、そしてまた湯たんぽの湯が体温よりも高い温度の場合には、長時間使用すると、低温ヤケド（火傷）を起こす危険性がある。
【０００５】
本発明は、上記の課題に鑑み、肩や腰、足首等の身体所要部を湯たんぽにより局部的に温める際に、湯たんぽを身体の所要箇所に安定良く装着出来ると共に、使い心地が良く、しかも低温ヤケドを起こすおそれのない湯たんぽカバーを提供することを目的とする。
【課題を解決するための手段】
【０００６】
上記課題を解決するための手段を、後述する実施形態の参照符号を付して説明すると、請求項１に係る発明は、湯たんぽ２の上面側を被う上側カバー部材３と下面側を被う下側カバー部材４とからなる袋状のカバー１であって、上下各カバー部材３，４は表地３ａ，４ａと裏地３ｂ，４ｂとによって形成されると共に、使用者Ｍの身体の所要部に当て付けられる側の上側カバー部材３は表地３ａと裏地３ｂとの間にクッション材５を挟んでサンドイッチ状に形成されてなり、上側カバー部材３と下側カバー部材４とは、周縁部の一部分３1 ，４1 どうしが一体的に接合され、残りの周縁部分３2 ，４2 どうしがスライドファスナー７によって開閉可能に接合されてなることを特徴とする。
【０００７】
請求項２は、請求項１に記載の湯たんぽにおいて、下側カバー部材４には腰巻きベルト６が取り付けられていることを特徴とする。
【０００８】
請求項３は、請求項１又は請求項２に記載の湯たんぽにおいて、下側カバー部材４は、表地４ａと裏地４ｂとの間に断熱材８を挟んでサンドイッチ状に形成されていることを特徴とする。
【発明の効果】
【０００９】
上記解決手段による発明の効果を、後述する実施形態の参照符号を付して説明すると、請求項１に係る発明によれば、使用者Ｍの身体の所要部に当て付けられる上側カバー部材３が、表地３ａと裏地３ｂとの間にクッション材５を挟んでサンドイッチ状に形成されているから、表地３ａと裏地３ｂとの間のクッション材５によるクッション作用によって、湯たんぽ２自体が肩や腰等の骨に直接当たるような感触がなく、違和感がなくなって、使い心地が非常に良くなると共に、湯たんぽ２が上側カバー部材３を介して肩や腰等にうまくフィットし、安定した状態で湯たんぽ２の使用ができ、湯たんぽ２の温熱を有効に利用出来る。
【００１０】
また、上側カバー部材３が表地３ａとクッション材５と裏地３ｂとのサンドイッチ構造で、十分に厚くなるため、湯たんぽ２の温熱によって低温ヤケドを起こす危険性がほとんどなく、使用上の安全性が確保される。また、上側カバー部材３と下側カバー部材４とは、周縁部の一部分３1 ，４1 どうしが一体的に接合され、残りの周縁部分３2 ，４2 どうしがスライドファスナー７によって開閉可能に接合されているから、湯たんぽカバー１の開閉が容易であると共に、湯たんぽ２の出し入れが容易となる。
【００１１】
請求項２に係る発明によれば、下側カバー部材４には腰巻きベルト６が取り付けられているから、起き上がった状態で湯たんぽ２を腰に当てて使用することが出来、使用上便利となる。
【００１２】
請求項３に係る発明によれば、湯たんぽ２の使用時にカバー１の下側カバー部材４からの熱の放出を抑えて、出来るだけ長く有効に湯たんぽ２を使用することが出来る。
【発明を実施するための最良の形態】
【００１３】
図１は本発明に係る湯たんぽカバー１に湯たんぽ２を入れると共に湯たんぽカバー１の一部を開放した状態を示す斜視図であり、図２の(a) は湯たんぽカバー１の平面図、(b)
はその底面図である。また図３の(a) は図２の(a) のＸ、Ｘ線拡大断面図、(b) はＹ−Ｙ線拡大断面図、(c) は図３の(a) の矢印イで示す部分の拡大図、(b) は矢印ロで示す部分の拡大図である。図４の(a) は湯たんぽ２を示す斜視図、(b) は側面図である。
【００１４】
これらの図を参照して分かるように、本発明に係る湯たんぽカバー１は、湯たんぽ２の上面側を被う上側カバー部材３と、湯たんぽ２の下面側を被う下側カバー部材４とによって開閉可能な袋状に形成されたもので、上下各カバー部材３，４は表地３ａ，４ａと裏地３ｂ，４ｂとによって形成されると共に、使用者の身体の所要部に当て付けられる側の上側カバー部材３は表地３ａと裏地３ｂとの間にクッション材５を挟んでサンドイッチ状に形成されている。そして下側カバー部材４には腰巻きベルト６が取り付けられている。
【００１５】
上記湯たんぽカバー１の構造について更に詳しく説明すると、上下各カバー部材３，４は、図４に示す湯たんぽ２の平面視形状に対応する略々瓢箪の形に形成されたもので、上側カバー部材３と下側カバー部材４とは、図１、図２の(a) ，(b) 及び図３の(a) 〜(d)
に示すように、周縁部の一部分３1 ，４1 どうしが縫合によって一体的に接合され、残りの周縁部分３2 ，４2 どうしがスライドファスナー７によって開閉可能に接合されている。
【００１６】
上下各カバー部材３，４の表地３ａ，４ａは、詳細な図示は省略するが、基布に短い毛材を植毛してなる短毛ボアからなり、裏地３ｂ，４ｂは例えばポリエステル繊維の織物生地からなり、上側カバー部材３の表地３ａと裏地３ｂの間に介して挿入されるクッション材５は、比較的軟質のポリウレタンフォームからなる。また下側カバー部材４は、表地４ａと裏地４ｂとの間に、上側カバー部材３のクッション材５よりも薄い断熱材８を挟んでサンドイッチ状に形成されている。この断熱材８ポリエステル綿からなる。
【００１７】
上側カバー部材３の周縁部分３1 と下側カバー部材４の周縁部分４1 を縫合するには、図３の(d) に示すように、上側カバー部材３の表地３ａの周縁部分３1a及び下側カバー部材４の表地４ａの周縁部分４1aを夫々内側に折り返して重ねると共に、上側カバー部材３の裏地３ｂの周縁部分３1bを上側カバー部材３の表地３ａの周縁部分３1a重ね、下側カバー部材４の裏地４ｂの周縁部分４1bを下側カバー部材４の表地４ａの周縁部分４1aに重ねた状態で、これら重合部分を縫合すればよい。
【００１８】
上側カバー部材３の周縁部分３2 と下側カバー部材４の周縁部分４2 とをスライドファスナー７によって接合するには、図３の(c) に示すように、上側カバー部材３の表地３ａの周縁部分３2a及び裏地３ｂの周縁部分３2bを夫々内側に折り返し、それらの間にスライドファスナー７の務歯７ｂ付きテープ７ａを挟んでそれらを逢着し、また下側カバー部材４の表地４ａの周縁部分４2a及び裏地４ｂの周縁部分４2bを夫々内側に折り返し、それらの間にスライドファスナー７の務歯７ｂ付きテープ７ａを挟んでそれらを逢着し、しかして両側のテープ７ａ，７ａの務歯７ｂ，７ｂにスライダー７ｓを噛合させればよい。
【００１９】
下側カバー部材４に取り付けられる腰巻きベルト６は、図２の(b) に示すように、ナイロン製のベルト本体９と、下側カバー部材４の表地４ａの複数箇所に縫い付けられたナイロン製のベルトガイド１０，１１と、ベルト本体６ａの一端部裏側及びその他端部表側に夫々取り付けられた係止布１２，１３とからなるもので、ベルトガイド１０，１１にベルト９を通した状態で取り付けられる。
【００２０】
この腰巻きベルト６によって湯たんぽカバー１を腰に巻き付ける時は、湯たんぽカバー１の上側カバー部材３を使用者の腰部に当てがった状態でベルト本体９の両端部を腹部側で重ね合わせ、係止布１２，１３どうしを係止させればよい。係止布１２，１３にはマジックテープ（登録商標名）が使用される。
【００２１】
図４の(a) ，(b) に示す湯たんぽ２は、ポリエチレンによって瓢箪を扁平状にしたような形状に一体成形された湯たんぽ本体１４からなるもので、一端部の湯口１５にはパッキン付きのキャップ１６が装着されている。湯たんぽ本体１４の上面側中央部には、身体のつぼを押すためのつぼ押し突起部１４ａ，１４ａが形成されている。
【００２２】
上記のように構成される湯たんぽカバー１を使用する時は、図１に示すように、スライドファスナー７を開放操作して、上側カバー部材３と下側カバー部材４とを開放した状態で熱湯の入った湯たんぽ２を、湯たんぽ２の底面側が下側カバー部材４の上に載るように湯たんぽカバー１の中に挿入し、ファスナー７を閉めればよい。
【００２３】
図５は湯たんぽ２を挿入した湯たんぽカバー１の種々の使用方法を示すもので、(a) は湯たんぽ２の入った湯たんぽカバー１を使用者Ｍの腰部に当てがって、腰巻きベルト６により固定させるようにした使用例である。このように腰巻きベルト６を使用すれば、起き上がった状態で湯たんぽ２の使用が出来、使用上きわめて便利である。(b) は使用者Ｍが寝た状態で腰部に当てがって使用する場合である。
【００２４】
また(c) は湯たんぽ２の入った湯たんぽカバー１を使用者Ｍの両足の夫々裏側に当てがって使用する場合を示し、(d) はこの湯たんぽカバー１を使用者Ｍの肩から首にわたる箇所に当てがって使用する場合を示している。いずれの場合も、湯たんぽカバー１の上側カバー部材３が使用者Ｍの身体に当たるようにする。
【００２５】
上記のようにして湯たんぽ２の入った湯たんぽカバー１を使用する際には、使用者Ｍの身体の所要部に当て付けられる側の上側カバー部材３が表地３ａと裏地３ｂとの間にクッション材５を挟んでサンドイッチ状に形成されているため、クッション材５のクッション作用によって、湯たんぽ２自体が肩や腰等の骨に直接当たらず、違和感がなく、使い心地が非常に良くなると共に、湯たんぽ２が上側カバー部材３を介して肩や腰等にうまくフィットし、安定した状態で湯たんぽ２の使用ができ、それにより湯たんぽ２の温熱を有効に利用出来る。
【００２６】
また、上側カバー部材３が表地３ａとクッション材５と裏地３ｂとのサンドイッチ構造で、十分に厚くなるため、湯たんぽ２の温熱によって低温ヤケドを起こす危険性がほとんどなくなり、使用上の安全性が確保される。
【００２７】
また、上側カバー部材３と下側カバー部材４とは、周縁部の一部分３1 ，４1 どうしが一体的に接合され、残りの周縁部分３2 ，４2 どうしがスライドファスナー７によって開閉可能に接合されているから、湯たんぽカバー１の開閉が容易であると共に、湯たんぽ２の出し入れが容易となる。
【００２８】
また、この湯たんぽ２では、下側カバー部材４は、表地４ａと裏地４ｂとの間に断熱材８を挟んでサンドイッチ状に形成されているから、湯たんぽ２の使用時にカバー１の下側カバー部材４からの熱の放出を抑えて、出来るだけ長く有効に湯たんぽ２を使用することが出来る。
【図面の簡単な説明】
【００２９】
【図１】本発明に係る湯たんぽカバーに湯たんぽを入れると共に湯たんぽカバーの一部を開放した状態を示す斜視図である。
【図２】(a) は湯たんぽカバーの平面図、(b) はその底面図である。
【図３】(a) は図２の(a) のＸ−Ｘ線拡大断面図、(b) はＹ−Ｙ線拡大断面図、(c)は図３の(a) の矢印イで示す部分の拡大図であり、(d) は矢印ロで示す部分の拡大図である。
【図４】(a) は湯たんぽを示す斜視図、(b) は側面図である。
【図５】(a) 〜(d) は湯たんぽカバーの種々の使用例を示す説明図である。
【符号の説明】
【００３０】
１          湯たんぽカバー
２          湯たんぽ
３          上側カバー部材
３ａ        上側カバー部材の表地
３ｂ        上側カバー部材の裏地
４          下側カバー部材
４ａ        下側カバー部材の表地
４ｂ        下側カバー部材の裏地
５          下側カバー部材のクッション材
６          腰巻きベルト
７          スライドファスナー
８          下側カバー部材の断熱材
【図１】
2005160707.tif 000003
【図２】
2005160707.tif 000004
【図３】
2005160707.tif 000005
【図４】
2005160707.tif 000006
【図５】
2005160707.tif 000007